(57)【要約】【課題】ユーザの耳が接触したパネルスピーカの領域に応じて音響特性を補正する携帯端末装置を提供する。【解決手段】携帯端末装置１００は、音声を出力するためのパネルスピーカ２１０を備える。パネルスピーカ２１０はパネルスピーカ２１０上に複数の領域を含む。携帯端末装置１００は、パネルスピーカ２１０を振動させるための振動部と、複数の領域の各々に関連付けられた、振動部の振動を補正する振動パラメータを格納するための記憶部２３０と、パネルスピーカ２１０に対する接触部分を検出するための検出部２２１と、複数の領域から接触部分が含まれる領域を特定するための領域特定部２２３と、領域特定部２２３により特定された領域に関連付けられた振動パラメータに基づいて、振動部の振動を補正するための振動補正部２２５とを備える。【選択図】図２
2014175776.tif 000002
【特許請求の範囲】
【請求項１】
携帯端末装置であって、
音声を出力するためのパネルスピーカを備え、前記パネルスピーカは前記パネルスピーカ上に複数の領域を含み、
前記パネルスピーカを振動させるための振動部と、
前記複数の領域の各々に関連付けられた、前記振動部の振動を補正する振動パラメータを格納するための記憶部と、
前記パネルスピーカにおける接触部分を検出するための検出部と、
前記複数の領域から前記接触部分が含まれる領域を特定するための領域特定手段と、
前記領域特定手段により特定された領域に関連付けられた前記振動パラメータに基づいて、前記振動部の振動を補正するための振動補正手段とを備える、携帯端末装置。
【請求項２】
前記記憶部は、前記複数の領域の各々に関連付けられた、前記パネルスピーカの音量を補正するための音量パラメータをさらに格納するように構成されており、
前記携帯端末装置は、前記領域特定手段により特定された領域に関連付けられた前記音量パラメータに基づいて、前記パネルスピーカの音量を補正するための音量補正手段をさらに備える、請求項１に記載の携帯端末装置。
【請求項３】
前記領域特定手段は、
前記接触部分の形状から耳孔の位置を推定し、
前記耳孔の位置に基づいて、前記接触部分が含まれる領域を特定するように構成されている、請求項１または２に記載の携帯端末装置。
【請求項４】
携帯端末装置を制御するための方法であって、
前記携帯端末装置は、音声を出力するためのパネルスピーカを備え、前記パネルスピーカは前記パネルスピーカ上に複数の領域を含み、前記携帯端末装置は、前記パネルスピーカを振動させるためのアクチュエータと、前記複数の領域の各々に関連付けられた、前記アクチュエータの振動を補正する振動パラメータを格納するためのメモリとを備え、
前記方法は、
前記パネルスピーカにおける接触部分を検出するステップと、
前記複数の領域から前記接触部分が含まれる領域を特定するステップと、
前記特定された領域に関連付けられた前記振動パラメータに基づいて、前記アクチュエータの振動を補正するステップとを含む、方法。
【請求項５】
携帯端末装置を制御するためのプログラムであって、
前記携帯端末装置は、音声を出力するためのパネルスピーカを備え、前記パネルスピーカは前記パネルスピーカ上に複数の領域を含み、前記携帯端末装置は、前記パネルスピーカを振動させるためのアクチュエータと、前記複数の領域の各々に関連付けられた、前記アクチュエータの振動を補正する振動パラメータを格納するためのメモリとプロセッサとを備え、
前記プログラムは、前記プロセッサに、
前記パネルスピーカにおける接触部分を検出するステップと、
前記複数の領域から前記接触部分が含まれる領域を特定するステップと、
前記特定された領域に関連付けられた前記振動パラメータに基づいて、前記アクチュエータの振動を補正するステップとを実行させる、プログラム。
【発明の詳細な説明】
【技術分野】
【０００１】
この発明は、パネルスピーカを有する携帯端末装置の制御に関する。
【背景技術】
【０００２】
近年、パネルスピーカを備える携帯端末装置が普及している。パネルスピーカは、アクチュエータ等により振動させられることにより、パネルスピーカ全体から音声を出力する。これにより、ユーザは、通話中にパネルスピーカに耳をかざすという容易な操作により、音声を聞き取ることができる。
【０００３】
従来、パネルスピーカを含む携帯端末装置のスピーカの音声を制御する技術について様々な提案がなされてきた。たとえば、特開２０１２−３４２６３号公報（特許公報１）は、「耳の各要素を検知する機能と、検知した各要素から使用者の耳孔の位置を推定する機能と、推定された耳孔の位置と携帯端末のレシーバ音孔までの距離を測定する機能を携帯端末に持たせ、携帯端末とレシーバ音孔の距離がある閾値以上大きくなった場合にレシーバ音量を上げるまたは可変する」技術を開示している（［要約］参照）。
【０００４】
特開２００７−８２００９号公報（特許文献２）は、「パネルスピーカの圧電素子に貼付されるパネルの板厚を、振動素子とパネルとの貼付近傍で厚く、貼付部から周辺の方に向かって薄くしてパネルを形成し、振動をパネル全体にムラなく伝達させ、パネル全体を均一に振動させる」技術を開示している（［要約］参照）。
【０００５】
特開２００９−５１６１号公報（特許公報３）は、「平面スピーカー・赤外線センサー制御基板（制御部）２５は、５×５マス状に均等に区分けされた光不透過性絶縁樹脂素材による壁２３に区切られた空間に配置された赤外線センサー２２にて、使用者の耳に赤外線を照射し、ある一定時間内の範囲で照射に対する反射の中から一番反射時間が遅いと判断したところを外耳道付近として検出する。検出した赤外線センサー２２の真下にある平面スピーカー２１に対してのみ接続経過音や通話音を発生させる。外耳道の移動に伴ってリアルタイムに外耳道の位置を検出して、個々の平面スピーカー２１の発生量を変化させることが可能」にする技術を開示している（［要約］参照）。
【０００６】
特開２００６−１３５８５８号公報（特許公報４）は、「ＬＣＤ４０の表示画面４４側に配置された板状部材５２をフラットパネルスピーカ駆動部５４からの音声信号に基づいて振動させて音声情報を出力するフラットパネルスピーカ５０を搭載する携帯情報端末１０において、ＬＣＤ４０の表示画面４４中の所定位置に、携帯情報端末１０を利用する利用者が自らの耳を当てる位置として認識することが可能な耳当位置情報Ａを表示する」技術を開示している（［要約］参照）。
【０００７】
特開２００２−２８１５７８号公報（特許公報５）は、「情報（文字、記号、画像等）を表示するディスプレイ部３と、音声を出力する透光性の透明スピーカ８及び／又は音声を入力する透光性の透明マイク９よりなる透明音響部材と、入力操作用の透光性のタッチパネル１０とを有し、タッチパネルを操作側として、ディスプレイ部とタッチパネル間に透明音響部材を配置し、ディスプレイ部の表示情報が透明音響部材とタッチパネルを介して表示」する技術を開示している（［要約］参照）。
【先行技術文献】
【特許文献】
【０００８】
【特許文献１】特開２０１２−３４２６３号公報
【特許文献２】特開２００７−８２００９号公報
【特許文献３】特開２００９−５１６１号公報
【特許文献４】特開２００６−１３５８５８号公報
【特許文献５】特開２００２−２８１５７８号公報
【発明の概要】
【発明が解決しようとする課題】
【０００９】
ところで、パネルスピーカの受話特性は、パネルスピーカを振動させるためのアクチュエータの位置、およびパネルスピーカのサイズまたは材質等により影響される。このため、パネルスピーカの受話特性は、アクチュエータに近いほど良好になるとは言えない。
【００１０】
しかしながら、特許文献１が開示している技術は、レシーバ音孔と使用者の耳孔との距離により音量を一様に調節するものである。また、特許文献１が開示している技術は、音孔から出力される音声を制御する技術に関するものであり、パネルスピーカに関する技術とは異なる。
【００１１】
特許文献２が開示している技術は、パネルスピーカの圧電素子に貼付されるパネルの板厚を、振動素子とパネルとの貼付部から周辺の方に向かって薄くすることで、パネル全体を均一に振動させるものである。
【００１２】
したがって、パネルスピーカ上の領域毎に音響特性を補正する技術が必要とされている。この開示は上述のような問題点を解決するためになされたものであって、その目的は、パネルスピーカにおける接触領域に応じて音響特性を補正する携帯端末装置を提供することである。他の局面における目的は、パネルスピーカにおける接触領域に応じて音響特性を補正するように携帯端末装置を制御するための方法を提供することである。さらに他の局面における目的は、パネルスピーカにおける接触領域に応じて音響特性を補正するように携帯端末装置を制御するためのプログラムを提供することである。
【課題を解決するための手段】
【００１３】
一実施の形態に従うと、携帯端末装置は、音声を出力するためのパネルスピーカを備える。パネルスピーカはパネルスピーカ上に複数の領域を含む。携帯端末装置は、パネルスピーカを振動させるための振動部と、複数の領域の各々に関連付けられた、振動部の振動を補正する振動パラメータを格納するための記憶部と、パネルスピーカにおける接触部分を検出するための検出部と、複数の領域から接触部分が含まれる領域を特定するための領域特定手段と、領域特定手段により特定された領域に関連付けられた振動パラメータに基づいて、振動部の振動を補正するための振動補正手段とを備える。
【００１４】
好ましくは、記憶部は、複数の領域の各々に関連付けられた、パネルスピーカの音量を補正するための音量パラメータをさらに格納するように構成されている。携帯端末装置は、領域特定手段により特定された領域に関連付けられた音量パラメータに基づいて、パネルスピーカの音量を補正するための音量補正手段をさらに備える。
【００１５】
好ましくは、領域特定手段は、接触部分の形状から耳孔の位置を推定し、耳孔の位置に基づいて、接触部分が含まれる領域を特定するように構成されている。
【００１６】
他の実施形態に従うと、携帯端末装置を制御するための方法が提供される。携帯端末装置は、音声を出力するためのパネルスピーカを備える。パネルスピーカはパネルスピーカ上に複数の領域を含む。携帯端末装置は、パネルスピーカを振動させるためのアクチュエータと、複数の領域の各々に関連付けられた、アクチュエータの振動を補正する振動パラメータを格納するためのメモリとを備える。この方法は、パネルスピーカにおける接触部分を検出するステップと、複数の領域から接触部分が含まれる領域を特定するステップと、特定された領域に関連付けられた振動パラメータに基づいて、アクチュエータの振動を補正するステップとを含む。
【００１７】
他の実施形態に従うと、携帯端末装置を制御するためのプログラムが提供される。携帯端末装置は、音声を出力するためのパネルスピーカを備える。パネルスピーカはパネルスピーカ上に複数の領域を含む。携帯端末装置は、パネルスピーカを振動させるためのアクチュエータと、複数の領域の各々に関連付けられた、アクチュエータの振動を補正する振動パラメータを格納するためのメモリとプロセッサとを備える。このプログラムは、プロセッサに、パネルスピーカにおける接触部分を検出するステップと、複数の領域から接触部分が含まれる領域を特定するステップと、特定された領域に関連付けられた振動パラメータに基づいて、アクチュエータの振動を補正するステップとを実行させる。
【００１８】
ある局面において、パネルスピーカにおける接触領域に基づいて音響特性を補正することができる。
【００１９】
この発明の上記および他の目的、特徴、局面および利点は、添付の図面と関連して理解されるこの発明に関する次の詳細な説明から明らかとなるであろう。
【図面の簡単な説明】
【００２０】
【図１】パネルスピーカ２１０を備える携帯端末装置１００の使用態様を表す図である。
【図２】携帯端末装置１００の機能の具体例を示すブロック図である。
【図３】パネルスピーカ２１０上の領域を表す図である。
【図４】記憶部２３０に格納されている補正テーブル２３１を表す図である。
【図５】ユーザが携帯端末装置１００を用いて通話している様子を表す図である。
【図６】携帯端末装置１００の動作の流れを表わすフローチャートである。
【発明を実施するための形態】
【００２１】
以下、図面を参照しつつ、本実施の形態について説明する。以下の説明では、同一の部品および構成要素には同一の符号を付してある。それらの名称および機能も同じである。したがって、これらについての詳細な説明は繰り返さない。
【００２２】
＜使用態様＞
図１を参照して、パネルスピーカ２１０を備える携帯端末装置１００の使用態様について説明する。図１は、携帯端末装置１００が備えるパネルスピーカ２１０から出力される音声をユーザがパネルスピーカ２１０に耳を当てて聞いている状態を示す図である。  
【００２３】
図１に示すように、携帯端末装置１００は、パネルスピーカ２１０を含み、パネルスピーカ２１０から音声が出力される。パネルスピーカ２１０は、アクチュエータ等により駆動され、パネルスピーカ２１０全体から音声を出力する。これにより、ユーザは、パネルスピーカ２１０のいずれの位置からも音声を聞き取ることが可能となる。
【００２４】
本実施形態の携帯端末装置１００は、タッチパネルディスプレイによってパネルスピーカ２１０へのユーザの接触位置を検出する。携帯端末装置１００は、ユーザの接触位置に基づいて、パネルスピーカ２１０から出力される音声を補正する。
【００２５】
＜構成＞
図２を参照して、携帯端末装置１００の構成について説明する。図２は、携帯端末装置１００の構成の一例を示すブロック図である。
【００２６】
携帯端末装置１００は、パネルスピーカ２１０と、ＣＰＵ（Central  Processing  Unit）２２０と、記憶部２３０と、変換部２４０と、マイク２５０と、アンプ２６０と、アクチュエータ２７０とを備える。パネルスピーカ２１０は、パネルスピーカ２１０上に複数の領域を含む。当該複数の領域については、図３において詳細に説明する。
【００２７】
パネルスピーカ２１０は、ガラス２１１と、液晶パネル２１３と、タッチパネル２１５とを含む。ＣＰＵ２２０は、検出部２２１と、領域特定部２２３と、振動補正部２２５と、音量補正部２２７とを含む。記憶部２３０は、補正テーブル２３１を含む。変換部２４０は、Ｃｏｄｅｃ  ＩＣ（Coder/Decoder  Integrated  Circuit）２４１と、Ａｕｄｉｏ２４３と、ＤＳＰ（Digital  Signal  Processor）２４５とを含む。
【００２８】
ガラス２１１は、アクチュエータ２７０から出力される信号に基づいて振動する。ガラス２１１が振動することにより、パネルスピーカ２１０全体から音声が出力される。液晶パネル２１３は、ＣＰＵ２２０から出力される信号に基づいて、映像および画像等を表示する。タッチパネル２１５は、パネルスピーカ２１０に対する操作を受け付ける。
【００２９】
検出部２２１は、タッチパネル２１５からの出力に基づいて、パネルスピーカ２１０におけるユーザが接触した場所を検出する。より具体的には、当該接触した場所は、パネルスピーカ２１０上の座標値で示される。検出部２２１は、当該座標値を領域特定部２２３に入力する。
【００３０】
領域特定部２２３は、当該座標値がパネルスピーカ２１０上の領域のいずれの領域に属するかを判断することにより、接触した場所が含まれる領域を特定する。また、領域特定部２２３は、特定された領域を識別する情報を、振動補正部２２５と、音量補正部２２７とに入力する。
【００３１】
振動補正部２２５は、領域特定部２２３により特定された領域に関連付けられた周波数補正パターンを補正テーブル２３１から取得する。また、振動補正部２２５は、当該周波数補正パターンに基づいて、音声信号を補正する。たとえば、振動補正部２２５は、パネルスピーカ２１０から出力される音声の周波数を補正する。
【００３２】
音量補正部２２７は、領域特定部２２３により特定された領域に関連付けられた音量を補正テーブル２３１から取得する。また、音量補正部２２７は、当該音量に基づいて、パネルスピーカ２１０から出力される音声の音量を補正する。
【００３３】
Ｃｏｄｅｃ  ＩＣ２４１は、音声信号をデジタル信号に変換する。また、Ｃｏｄｅｃ  ＩＣ２４１は、音声信号をアナログ信号に変換する。さらに、Ｃｏｄｅｃ  ＩＣ２４１は、音声信号を符号化し、また符号化されている信号を復号化する。
【００３４】
他の局面において、ＤＳＰ２４５は、ＣＰＵ２２０の処理の一部を担う。たとえば、ＤＳＰ２４５は、振動補正部２２５または音量補正部２２７を含み得る。また、補正テーブル２３１は、ＤＳＰ２４５内のデータ記憶領域（図示しない）に格納されてもよい。
【００３５】
マイク２５０は、携帯端末装置１００に対する発話を受け付けて、発話された音声に対応する信号を変換部２４０に送出する。アンプ２６０は、変換部２４０から出力される音声信号を増幅する。アクチュエータ２７０は、アンプ２６０から出力される音声信号に基づいて、ガラス２１１を振動させる。
【００３６】
＜領域＞
図３を参照して、パネルスピーカ２１０上の領域について説明する。たとえば、パネルスピーカ２１０は、パネルスピーカ２１０上に複数の領域を含む。たとえば、パネルスピーカ２１０は、領域３０１〜領域３０６を含む。領域３０１〜領域３０６の各々は、当該領域を示す座標値によって規定されている。
【００３７】
なお、図３において、領域３０１〜領域３０６は、矩形として示されているが、領域の形は矩形に限定されない。たとえば、領域３０１〜領域３０６は、六角形その他の多角形であってもよいし、円形であってもよい。また、領域３０１〜領域３０６は、互いに同一の形状でなくてもよい。
【００３８】
領域３０１〜領域３０６は、携帯端末装置１００の設計時に設定される。また、携帯端末装置１００は、領域の数または形状がユーザにより設定可能なように構成されてもよい。たとえば、携帯端末装置１００は、パネルスピーカ２１０上の領域の数をユーザが設定できるように構成される。また、携帯端末装置１００は、ユーザが予め定められた形状の中から領域の形状を選択できるように構成される。
【００３９】
振動補正部２２５は、ユーザが領域３０１〜領域３０６のいずれの領域に接触したかに基づいて、パネルスピーカ２１０が出力する音声を補正する。
【００４０】
＜データ構造＞
図４を参照して、補正テーブル２３１のデータ構造について説明する。図４は、記憶部２３０に格納されている補正テーブル２３１を表す図である。
【００４１】
記憶部２３０は、補正テーブル２３１を格納している。補正テーブル２３１は、領域４０１と、音量４０３と、周波数補正パターン４０５とを含む。
【００４２】
たとえば、領域３０１は、音量ｖ１および周波数補正パターンｆ１に関連付けられている。領域３０２は、音量ｖ２および周波数補正パターンｆ２に関連付けられている。領域３０３は、音量ｖ３および周波数補正パターンｆ３に関連付けられている。領域３０４は、音量ｖ４および周波数補正パターンｆ４に関連付けられている。領域３０５は、音量ｖ５および周波数補正パターンｆ５に関連付けられている。領域３０６は、音量ｖ６および周波数補正パターンｆ６に関連付けられている。
【００４３】
振動補正部２２５は、周波数補正パターンを参照して、パネルスピーカ２１０が出力する音声の周波数を補正する。たとえば、通話中にユーザの耳が領域３０２に接触している場合に、振動補正部２２５は、周波数補正パターンｆ２でパネルスピーカ２１０が出力する音声の周波数を補正する。より具体的には、振動補正部２２５は、アクチュエータ２７０の振動周波数を補正することにより、パネルスピーカ２１０が出力する音声の周波数を補正する。ある局面において、振動補正部２２５は、特定の周波数帯域の振幅を大きくまたは小さくすることにより音声を補正する。
【００４４】
周波数補正パターンｆ１〜ｆ６には、音声を補正する周波数帯域と、振幅を大きくする度合いとが規定される。ある局面において、周波数補正パターンｆ１〜ｆ６は、携帯端末装置１００の設計時に設定されている音声周波数に掛けられる係数として規定されてもよい。さらに他の局面において、周波数補正パターンｆ１〜ｆ６は、予め定められた周波数補正パターンの中からユーザにより選択されてもよい。
【００４５】
音量補正部２２７は、周波数補正パターンを参照して、パネルスピーカ２１０が出力する音量を補正する。たとえば、ユーザの耳が領域３０２に接触している場合に、音量補正部２２７は、音量ｖ２でパネルスピーカ２１０が出力する音量を補正する。ある局面において、当該補正は、音量を増加または減少することにより行われる。
【００４６】
音量ｖ１〜ｖ６には、音量の増加量または減少量が規定されている。ある局面において、音量ｖ１〜ｖ６には、携帯端末装置１００の設計時に設定されている音量に掛けられる係数が規定されてもよい。さらに他の局面において、音量ｖ１〜ｖ６は、ユーザにより任意に設定されてもよい。
【００４７】
＜領域選択＞
図５を参照して、パネルスピーカ２１０上の領域を選択する方法について説明する。図５は、ユーザが携帯端末装置１００に耳を接触している様子を表す図である。
【００４８】
図５において、ユーザがパネルスピーカ２１０上の領域５０１に耳を接触させて通話していると仮定する。このとき、検出部２２１は、タッチパネル２１５からの出力に基づいて、パネルスピーカ２１０における接触部分５０２を検出する。領域特定部２２３は、接触部分５０２の形状から、耳孔位置５０３を推定する。領域特定部２２３は、推定された耳孔位置５０３から領域３０５を選択する。たとえば、当該選択は、パネルスピーカ２１０上の耳孔位置５０３の座標値に基づいて行われる。
【００４９】
ある局面において、領域特定部２２３は、パターンマッチング等により、接触部分５０２の形状と記憶部２３０に予め登録されている外耳形状データ（図示しない）とを比較して外耳の位置を推定する。また、領域特定部２２３は、推定された外耳の位置に対する平均的な耳孔の位置に基づいて、耳孔の位置を推定する。振動補正部２２５は、当該耳孔の位置に基づいてパネルスピーカから出力される音声を補正する。これにより、ユーザは、より良好に音声を聞き取ることができる。
【００５０】
他の局面において、選択される領域は、ユーザにより任意に設定されてもよい。たとえば、ユーザのタッチ操作により領域３０２が選択された場合に、振動補正部２２５は、周波数補正パターンｆ２を用いてパネルスピーカ２１０から出力される音声を補正し、音量補正部２２７は、音量ｖ２を用いてパネルスピーカ２１０から出力される音声を補正する。これにより、ユーザは、好みの位置で良好な音声を聞き取ることができる。
【００５１】
＜制御構造＞
図６を参照して、携帯端末装置１００の制御構造について説明する。図６は、ある局面における、携帯端末装置１００のＣＰＵ２２０が実行する処理の一部を表わすフローチャートである。図６の処理は、ＣＰＵ２２０がプログラムを実行することにより実現される。他の局面において、処理の一部又は全部が、回路素子その他のハードウェアによって実行されてもよい。
【００５２】
ステップＳ６１０において、ＣＰＵ２２０は、検出部２２１として、タッチパネル２１５からの出力に基づいて、パネルスピーカ２１０におけるユーザの接触部分を検出する。
【００５３】
ステップＳ６２０において、ＣＰＵ２２０は、領域特定部２２３として、検出された接触部分の形状に基づいて、ユーザの耳孔の位置を推定する。
【００５４】
ステップＳ６３０において、ＣＰＵ２２０は、領域特定部２２３として、パネルスピーカ上の耳孔の座標値に基づいて耳孔の位置が含まれる領域をパネルスピーカ２１０上の複数の領域から特定する。
【００５５】
ステップＳ６４０において、ＣＰＵ２２０は、領域特定部２２３により特定された領域に関連付けられた音量４０３または周波数補正パターン４０５に基づいて、アクチュエータ２７０の振動を補正する。
【００５６】
以上のようにして、本実施の形態における携帯端末装置１００は、ユーザがパネルスピーカに接触する部分により音声が補正されるので、ユーザは最良な受話特性を得ることができる。
【００５７】
また、本実施の形態における携帯端末装置１００は、パネルスピーカ２１０対する接触部分の形状からユーザの耳孔の位置を推定することにより、より良好に音声を聞き取ることが可能になる。
【００５８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５９】
１００  携帯端末装置、２１０  パネルスピーカ、２１１  ガラス、２１３  液晶パネル、２１５  タッチパネル、２２０  ＣＰＵ、２２１  検出部、２２３  領域特定部、２２５  振動補正部、２２７  音声補正部、２３０  記憶部、２３１  補正テーブル、２４０  変換部、２４１  Ｃｏｄｅｃ  ＩＣ、２４３  Ａｕｄｉｏ、２４５  ＤＳＰ、２５０  マイク、２６０  アンプ、２７０  アクチュエータ、３０１  領域、３０２  領域、３０３  領域、３０４  領域、３０５  領域、３０６  領域、４０１  領域、４０３  音量、４０５  周波数補正パターン、５０１  領域、５０２  接触部分、５０３  耳孔位置。
【図１】
2014175776.tif 000003
【図２】
2014175776.tif 000004
【図３】
2014175776.tif 000005
【図４】
2014175776.tif 000006
【図５】
2014175776.tif 000007
【図６】
2014175776.tif 000008